(57)【特許請求の範囲】
【請求項１】
天板と、天板の左右端部を支持する左右脚体と、左右脚体間に着脱自在で回動可能に連結される左右扉体を有し、左右扉体後方を電子機器収納部となし、天板下方の左右扉体前方を下肢空間としたデスクにおいて、左右扉体は左右大扉と左右子扉よりなり、左右大扉は、左右脚体に着脱自在で回動可能に連結され、左右大扉と左右子扉のいずれか一方の互いの連結側の端部に、後方あるいは前方に突出する、左右後方あるいは左右前方突出壁を有して、大扉あるいは子扉のいずれか一方が横断面横向きＬ字形に形成され、左右後方あるいは左右前方突出壁の後端あるいは前端と、左右子扉あるいは左右大扉が着脱自在で回動可能に連結され、左右大扉はそれぞれが左右脚体間の略３分の１程度の幅寸法を有し、左右子扉はそれぞれが左右脚体間の略６分の１程度の幅寸法有することを特徴とするデスク。
【請求項２】
天板と、天板の左右端部を支持する左右脚体と、左右脚体間に着脱自在で回動可能に連結される左右扉体を有し、左右扉体後方を電子機器収納部となし、天板下方の左右扉体前方を下肢空間としたデスクにおいて、左右扉体は左右大扉と左右子扉よりなり、左右大扉は、左右脚体に着脱自在で回動可能に連結され、左右大扉と左右子扉のいずれか一方の互いの連結側の端部に、後方あるいは前方に突出する、左右後方あるいは左右前方突出壁を有して、大扉あるいは子扉のいずれか一方が横断面横向きＬ字形に形成され、左右後方あるいは左右前方突出壁の後端あるいは前端と、左右子扉あるいは左右大扉が着脱自在で回動可能に連結され、左右大扉、あるいは左右子扉には床面に接触する接地ロ−ラーが回転自在に設けられていることを特徴とするデスク。
【発明の詳細な説明】
【技術分野】
【０００１】
本発明は特に、ディーリングルームで使用され、天板と床面間に電子機器収納部が設けられたデスクに関するものである。
【背景技術】
【０００２】
従来、電子機器収納部の容量を確保しつつ使用者の脚が収納部と干渉することを防止できるデスクとして、天板と、床面上に立設し前記天板を支持する脚部と、前記床面と天板間に設けられて前面に開口部が形成された収納部と、横方向に配列され前記開口部を開閉する複数の開閉部材と、前記複数の開閉部材とそれぞれ対応して設けられ該開閉部材を支持する支持部と、を備え、前記複数の開閉部材のうち少なくとも一つと対応する支持部は、前記横方向と交差する複数位置で形成可能とされ、前記開閉部材を前後方向に異なる位置で支持可能であり、隣り合う前記開閉部材の間には、これらの前後方向の隙間を塞ぐ塞ぎ部材が設けられたものが提供されている。（特許文献１参照）
【０００３】
この場合、塞ぎ部材は、床面上に立設するとともに、天板を支持しているので、開閉部材を全開しても、塞ぎ部材が収納部の前側に残るので狭い開放空間をより細かく仕切ることとなり、台車に載置されて収納部に収納された電子機器の台車ごとの出し入れ、更には、棚部に収納された書類等の出し入れが非常に困難かつ煩雑であった。
【先行技術文献】
【特許文献】
【０００４】
【特許文献１】特許第５６３７８３１号公報
【発明の概要】
【発明が解決しようとする課題】
【０００５】
本発明は、簡単な構造で、使用者の下肢空間を確実に確保し、電子機器の点検や、入れ替え作業、書類等の収納、取り出しが非常に容易なデスクを提供することを課題とする。
【課題を解決するための手段】
【０００６】
上記課題を解決する為、本発明が第１の手段として構成したところは、天板と、天板の左右端部を支持する左右脚体と、左右脚体間に着脱自在で回動可能に連結される左右扉体を有し、左右扉体後方を電子機器収納部となし、天板下方の左右扉体前方を下肢空間としたデスクにおいて、左右扉体は左右大扉と左右子扉よりなり、左右大扉は、左右脚体に着脱自在で回動可能に連結され、左右大扉と左右子扉のいずれか一方の互いの連結側の端部に、後方あるいは前方に突出する、左右後方あるいは左右前方突出壁を有して、大扉あるいは子扉のいずれか一方が横断面横向きＬ字形に形成され、左右後方あるいは左右前方突出壁の後端あるいは前端と、左右子扉あるいは左右大扉が着脱自在で回動可能に連結され、左右大扉はそれぞれが左右脚体間の略３分の１程度の幅寸法を有し、左右子扉はそれぞれが左右脚体間の略６分の１程度の幅寸法有するものである。
【０００７】
上記課題を解決する為、本発明が第２の手段として構成したところは、天板と、天板の左右端部を支持する左右脚体と、左右脚体間に着脱自在で回動可能に連結される左右扉体を有し、左右扉体後方を電子機器収納部となし、天板下方の左右扉体前方を下肢空間としたデスクにおいて、左右扉体は左右大扉と左右子扉よりなり、左右大扉は、左右脚体に着脱自在で回動可能に連結され、左右大扉と左右子扉のいずれか一方の互いの連結側の端部に、後方あるいは前方に突出する、左右後方あるいは左右前方突出壁を有して、大扉あるいは子扉のいずれか一方が横断面横向きＬ字形に形成され、左右後方あるいは左右前方突出壁の後端あるいは前端と、左右子扉あるいは左右大扉が着脱自在で回動可能に連結され、左右大扉、あるいは左右子扉には床面に接触する接地ロ−ラーが回転自在の設けられているものである。
【発明の効果】
【０００９】
本発明の第１の手段としての構成によると、左右大扉、あるいは左右子扉のいずれか一方を横断面横向きＬ字形に形成し、それぞれを着脱自在で回動可能に連結しているので、左右子扉は、左右大扉の所定距離後方に位置するので、デスクの中央部分の天板下方に下肢空間が広がり、リラックスした姿勢で使用することが出来る。
更に、左右子扉が左右大扉の後方に位置しても、左右後方あるいは左右前方突出壁によって、左右子扉と左右大扉間に隙間が生じないので、従来のような塞ぎ部材を必要とせず部材点数を削減できるとともに、塞ぎ部材がないので、左右扉体を開放したとき開口部が全面開放され、電子機器の収納部への出し入れが非常に容易である。さらに、左右大扉は、左右脚体間の略３分の１幅寸法で、左右小扉は左右大扉の約半分の寸法（左右脚体間の略６分の１幅寸法）に形成されているので、左右小扉を開放した後、左右大扉を左右小扉と共に左右に開放すれば、開放された扉体の前方への突出量は少なく、前面を大きく開口することが出来るため、電子機器の点検作業、入れ替え作業等も容易に行う事が出来る。
【００１０】
本発明の第２の手段としての構成によると、左右大扉、あるいは左右子扉のいずれか一方を横断面横向きＬ字形に形成し、それぞれを着脱自在で回動可能に連結しているので、左右子扉は、左右大扉の所定距離後方に位置するので、デスクの中央部分の天板下方に下肢空間が広がり、リラックスした姿勢で使用することが出来る。
更に、左右子扉が左右大扉の後方に位置しても、左右後方あるいは左右前方突出壁によって、左右子扉と左右大扉間に隙間が生じないので、従来のような塞ぎ部材を必要とせず部材点数を削減できるとともに、塞ぎ部材がないので、左右扉体を開放したとき開口部が全面開放され、電子機器の収納部への出し入れが非常に容易である。さらに、左右大扉、あるいは左右子扉には床面に接触する接地ローラーが回転自在に設けられているので、左右扉体の荷重を接地ローラーで支持でき、耐久性が向上するとともに左右扉体の開閉動作も円滑である。
【図面の簡単な説明】
【００１２】
【図１】本発明の正面略図である。
【図２】本発明の右側面略図である。
【図３】本発明の平面略図である。
【図４】本発明の左右扉体を取り外した状態の正面略図である。
【図５】図１の要部拡大縦断面図である。
【図６】図１の要部横断面図である。
【図７】左右小扉を開放した状態の要部横断面図である。
【図８】左右扉体を開放した状態の要部横断面図である。
【図９】左右扉体の閉鎖状態を示す要部拡大縦断面図である。
【図１０】図６のＡ部拡大図である。
【図１１】図６のＢ部拡大図である。
【図１２】図１１の右側面略図である。
【図１３】右側前固定兆番と右大扉取外し用兆番と回動用連結軸の分解斜視図である
【図１４】第２実施例の要部横断面図である。
【発明を実施するための形態】
【００１３】
天板と、天板の左右端部を支持する左右脚体と、左右脚体間に着脱自在で回動可能に連結される左右扉体を有し、左右扉体後方を電子機器収納部となし、天板下方の左右扉体前方を下肢空間としたデスクにおいて、左右扉体は、左右脚体間の略３分の１の幅寸法を有する左右大扉と、左右脚体間の略６分の１の幅寸法を有する左右小扉よりなり、左右大扉は、左右脚体に着脱自在で回動可能に連結され、左右脚体と反対側の端部に左右小扉の幅寸法よりやや小さい寸法後方に突出する左右後方突出壁を有する横断面横向きＬ字形に形成され、左右小扉は左右後方突出壁の後端部に着脱自在で回動可能に取付けられ、左右後方突出壁の後端部には床面に接触する接地ローラーが回転自在に設けられているものである。
【実施例】
【００１４】
以下、実施例を添付図面に基づいて詳述する。
図１〜図６、において、符号１は、ディーリングルームで使用される本発明のデスクを示し、デスク１は、デスク本体２と、デスク本体２の背面に着脱自在に連結される後幕板３０から構成されている。
符号１０はデスク１を左右方向に連設したとき左右端部側に連結されるエンドパネルを示している。
デスク本体２は、天板２０の左右端部下面に取付けられた左右脚体２１、２１と、天板２０の後部下面で、左右脚体２１、２１の前部上端間を連結する断面L字型の横フレーム４と、左右脚体２１、２１の後端部間を連結する後フレーム３と、左右脚体２１、２１間に着脱自在で回動可能に連結される左右扉体５、６より構成されている
【００１５】
左右脚体２１、２１は対向した同形に形成されているので、右脚体２１についてのみ説明する。
右脚体２１は、前後に所定間隔を有して配設された右前後縦脚２２、２３と、右前後縦脚２２、２３の上下端部間に上下に所定間隔を有して配設された右上下前後桟２４、２４と右前脚２１の上端に前方に突出して設けられた天板右受け材２５より構成されている。
そして、右後縦脚２３の後面には後幕板３０を連結するための複数個の連結孔（図示せず。）が形成されている。
又、左右脚体２１、２１の内面の前端部に、左右扉体５、６を回動可能で着脱自在に連結するための、左右前側固定兆番１１、１１、１３、１３が上下に所定間隔を有して固着されている。
【００１６】
横フレーム４は、前面側の左右端部にコード取出し用キャップ４０、４０を有し、左右端部の前面側下面と中央部の後面側下面には、左右扉体５、６の閉鎖状態を施錠するための錠係り用左右前突片（戸当たり材）４１、４１、錠係り用後突４２（図４、図９に示す。）が形成されている。
【００１７】
後フレーム３は、左右脚体２１、２１の左右後縦脚２３、２３の内面に連結される左右縦支柱３１、３１と、左右縦支柱３１、３１の上端間を連結する上横繋ぎ材３３（図５に示す。）と、左右縦支柱３１、３１間を３等分する位置に立設された、上端が前記上横繋ぎ材３３に連結された中央左右縦柱３８、３８と、左右縦柱３８、３８と左右縦支柱３１、３１の下端間を連結する下横繋ぎ材３４より構成されている。
そして、左右縦支柱３１、３１の前面側の左右方向中央部には上下方向に所定間隔有して複数個の係止孔３０１・・・が形成され、中央左右縦柱３８は、左右縦支柱３１、３１を背中合わせに固着した形状で、左右に隣接した２列の係止孔３００・・・が、係止孔３０１・・・と同一高さに形成されている。
【００１８】
幕板３０は、後フレーム３、および、左右脚体２１、２１の後面を覆う大きさに形成され、前記左右脚体２１、２１の左右後縦脚２３、２３に形成された複数孔の連結孔に係止する複数個の係止爪（図示せず。）が上下左右端部に前方に突出して形成されている。
符号７・・・は後端部が前記左右縦支柱３１、３１、中央左右縦柱３８、３８に形成された係止孔３０１・・・、３００・・・に係止し、所望の左右上下位置に係脱自在に取付けられ、電子機器、書類等を載置する収納棚部を示している。
符号３０２は、下面にキャスターを設け、載置された電子機器を電子機器収納部２００から引出し、収納可能とした引出し用架台を示している。
符号３０３は、後フレーム３の上横繋ぎ材３３の上面に取付けられ、左右方向全幅にわたって設けられたモニター支持用ビームを示している。
【００１９】
符号３０５・・・は、モニター支持用ビーム３０３の前面側に設けられた支持ピンと、天板２０の後端左右方向所定位置に取付けられた支持金具にて前後端部が支持された配線収納部用蓋体を示している。配線収納部用蓋体３０５には、配線収納部用蓋体３０５下方部に形成された配線収納部３１１の空気を換気する空気孔が形成され、配線収納部用蓋体３０５の前後端部には、モニター支持用ビーム３０３と天板２０の後端部間に形成されたコード挿通溝を塞ぐブラシ状のコード通し材が設けられている。
【００２０】
符号３０６、３０６は、左右端部が左右上前後桟２４、２４に載置され、前端部が、横フレーム４に係止された配線用トレーを示し、配線用トレーの底面には適宜数のコード挿通用開口が設けられ、コード挿通用開口にはコードの挿通部分のみが開口され、他の開口部が閉塞状態とされ、電子機器収納部２００内の熱気が配線収納部３１１へ流入するのを阻止している。
符号３０７・・・は、モニター支持用ビーム３０３に着脱自在に連結されるモニター取付け用ポールを示している。
【００２１】
左右扉体５、６は、左右脚体２１、２１間の略３分の１程度の幅寸法を有し、ほぼ床面から横フレーム４の下面までの高さに形成された左右大扉５１、６１と、左右脚体２１、２１間の略６分の１程度の幅寸法を有し、ほぼ床面から横フレーム４の下面までの高さに形成された左右小扉５２、６２より構成され、左右扉体５、６の下面には床との隙間を塞ぐブラッシ状の気密材９００が取り付けられている。
【００２２】
左右大扉５１、６１は対向した同形に形成されているので一方側についてのみ説明する。
左大扉５１は、左正面側大扉部５１１と、左正面側大扉部５１１の左脚体２１と反対側の端部を左小扉５２の幅寸法よりやや小さい寸法後方に突出する左後方突出壁５３より、横断面横向きＬ字形に一体に形成されている。
【００２３】
そして、左大扉５１の左端部には、左脚体２１の左前側固定兆番１１、１１に対応して左大扉取外し用兆番１６、１６が、上下に所定間隔を有して設けられる一方、左後方突出壁５３の後端部の上下方向全幅に渡って、床面に接触して回転する左接地ローラー８０を下端に取り付けるための左接地ローラー連結用部材８１が連結されている。
一方、同様に対向して、右大扉６１にも、右正面側大扉部６１１、右後方突出壁６３、右大扉取外し用兆番１７、１７、右接地ローラー８００、右接地ローラー連結用部材８２が設けられている。
【００２４】
左接地ローラー連結用部材８１と右接地ローラー連結用部材８２、及び、左接地ローラー８０と右接地ローラー８００は対向した同形に形成されているので一方側についてのみ説明する。
右接地用ローラー連結用部材８２（図１１、図１２に示す。）は、右後方突出壁６３の後端面に連結される右連結用縦片部８２１と、右連結用縦片部８２１の右脚体２１側の端部をやや右脚体２１側に傾斜して後方に突出し、下端部に右接地ローラー８００を回転自在に支持した右接地ローラー支持連結部材８３が、上下位置調節可能に連結される右支持部材連結片部８２２と、右連結用縦片部８２１の右小扉６２側の端部を後方に突出し、内面側に右小扉支持用兆番１８、１８が上下に所定間隔を有して設けられる右小扉支持用兆番取付片部８２３と、右小扉支持用兆番取付片部８２３の後端部を右小扉６２の後方に突出させた右扉当たり片部８２４より構成されている。
【００２５】
右接地ローラー支持連結部材８３は、右支持部材連結片部８２２の下端部に形成された上下方向に長い二つの連結用長穴８２０、８２０を挿通する連結ボルト８２５、８２５が螺合する連結用螺孔が上下に所定間隔を有して形成された、右支持部材連結片部８２２とほぼ同幅の右支持連結部８３１と、右接地ローラー支持連結部材８３の下方に突出して右支持連結部８３１の下端に連設され、右支持連結部８３１より幅広となし、右接地ローラー８００が回転保持された右接地ローラー保持部８３２より構成されている。
【００２６】
尚、左接地ローラー連結部材８１は前述したように右接地用ローラー連結用部材８２に対向して構成されているので、右連結用縦片部８２１、右接地ローラー支持連結部材８３、右支持部材連結片部８２２、内面側に左小扉支持用兆番１８、１８が上下に所定間隔を有して設けられる右小扉支持用兆番取付片部８２３、右扉当たり片部８２４と同様、左連結用縦片部、左接地ローラー支持連結部材、左支持部材連結片部、内面側に左小扉支持用兆番１５、１５が上下に所定間隔を有して設けられる左小扉支持用兆番取付片部、左扉当たり片部が、左接地ローラー連結部材８１にも構成されている。
そして、左接地ローラー支持連結部材も、右接地ローラー支持連結部材８３に対向して、連結用螺孔が形成された、左支持連結部、左右接地ローラー保持部が構成されている。
【００２７】
一方、左小扉５２のそれぞれの左端部には、左大扉５１の左小扉支持用兆番１５、１５、に対応して、左小扉取外し用兆番１５０、１５０が、上下に所定間隔を有して設けられている。
尚、左小扉５２の右側端部には、閉鎖時に右小扉６２の裏面側に突出する、召し合わせ突部５２１（図７、図８、図９に示す。）が設けられている。
又、右小扉６２の右端部には、右大扉６１の右小扉支持用兆番１８、１８に対応して、右小扉取外し用兆番１８０、１８０が、上下に所定間隔を有して設けられている。
左右扉体５、６は上記の如く形成され、閉鎖状態で、上端部裏面が横フレーム４の下面に配設された錠係り用左右前突片４１、４１、錠係り用後突片（戸当たり材）４２に（パッキン等を介して）当接する。
符号５００・・・は、左右大扉５１、６１の右左端部側、右小扉６２の左端部側に設けられ、閉鎖時に回動して、前記錠係り用左右前突片４１、４１、錠係り用後突片（戸当たり材）４２の裏面側に係止し、左右扉体５、６の不測の開放を防止し、開放時には、反対方向に回動にして係止状態を解除し、開放時の引き手の機能を有する、仮施錠用ツマミを示している。
【００２８】
次に、図６および図８に基づいて、左右扉体５、６の第１実施例の使用例を説明する。
右脚体２１の右側前固定兆番１３、１３と右大扉取外し用兆番１７、１７を回動連結軸７００、７００で連結し、右脚体２１に回動可能に右大扉６１を取り付ける。
さらに、同様にして、左脚体２１に左大扉５１を回動自在に連結する。
次ぎに、左大扉５１の左後方突出壁５３に設けられた左小扉支持用兆番１５、１５と左小扉５２の左小扉取外し用兆番１５０、１５０を回動連結軸７００、７００で連結し、左小扉５２を左後方突出壁５３に回動自在に連結する。
さらに、同様にして、右大扉６１の右後方突出壁６３に設けられた右小扉支持用兆番１８、１８と右小扉６２の右小扉取外し用兆番１８０、１８０を回動連結軸７００、７００で連結し、右小扉６２を右後方突出壁６３に回動自在に連結する。（図６に示す状態。）
【００２９】
そして、交換、点検等のため、引出し用架台３０２に載置されて収納された電子用機器を、電子用機器収納部２００の左右方向中央部から、引き出す場合は、右小扉６２の施錠を解除して、左右子扉５２、６２を開放する。（図７に示す状態。）
更に、引出し用架台３０２に載置されて収納された電子用機器を、電子用機器収納部２００の右側から、書類等を左側から取り出す場合は、左右大扉５１、６１を左右子扉５２、６２と共に開放する。（（図８に示す状態。）
すなわち、従来のように、塞ぎ部材が存在しないので、引出し用架台３０２は真っ直ぐ前方に注意深く引き出す必要がなく、左右方向中央部側に引き出すことで、容易に交換点検作業を行うことが出来る。
【００３０】
次に、第２実施例について説明する。
第２実施例では、左右扉体５、６は、左右脚体２１、２１間の略３分の１程度の幅寸法を有し、ほぼ床面から横フレーム４の下面までの高さに形成された平板状の左右大扉５１、６１と、左右脚体２１、２１間の略６分の１程度の幅寸法を有し、ほぼ床面から横フレーム４の下面までの高さに形成された左右子扉５２、６２より構成されている。
そして、左右子扉５２、６２は、それぞれの右側端部と左側端部に、左右小扉５２、６２の幅寸法よりやや小さい寸法で前方に突出する左右前方突出壁５２２、６２２を有する横断面横向きＬ字形に一体に形成されている。
【００３１】
そして、左右小扉支持用兆番１５、１５、１８、１８が左右大扉５１、６１に取り付けられ、左右小扉取外し用兆番１５０，１５０、１８０、１８０が左右前方突出壁５２２、６２２の前端部に設けられ、左右接地ローラー連結部材８１、８２、左右接地ローラー８０、８００等は左右前方突出壁５２２、６２２の後端角部裏面側に設けられている。
その他の構成は、第１実施例と同じである。
第２実施例は上記の如く構成されているので、第１実施例同様、従来のように、塞ぎ部材が存在しないので、引出し用架台３０２は真っ直ぐ前方に注意深く引き出す必要がなく、左右方向中央部側に引き出すことで、容易に電子機器の交換点検作業を行うことが出来る。
【産業上の利用可能性】
【００３２】
以上のように、本発明は、電子機器収納部を有するデスクであり、電子機器の出し入れが容易であり、使用者の下肢空間の確保等ができるデスクであるから、ディーリングルーム等で広く利用することができる。
【符号の説明】
【００３３】
１          デスク
１００      下肢空間
２          デスク本体
２０        天板
２１、２１  左右脚体      
２００      電子機器収納部
３          後フレーム
４          横フレーム
５          左扉体
５１        左大扉
５２        左小扉
５２２      左前方突出壁
５３        左後方突出壁
６          右扉体
６１        右大扉
６２        右小扉
６２２      右前方突出壁
６３        右後方突出壁
８０        左接地ローラー
８００      右接地ローラー
８１        左接地ローラー連結部材
８２        右接地ローラー連結部材
【図１】
0006495673.tif 000002
【図２】
0006495673.tif 000003
【図３】
0006495673.tif 000004
【図４】
0006495673.tif 000005
【図５】
0006495673.tif 000006
【図６】
0006495673.tif 000007
【図７】
0006495673.tif 000008
【図８】
0006495673.tif 000009
【図９】
0006495673.tif 000010
【図１０】
0006495673.tif 000011
【図１１】
0006495673.tif 000012
【図１２】
0006495673.tif 000013
【図１３】
0006495673.tif 000014
【図１４】
0006495673.tif 000015